(57)【要約】【課題】用途に応じて、配線トレーの高さを容易に変更しうるとともに、配線量等が増大したときにも、簡単に対応しうるようにした配線ダクト用トレー装置を提供する。【解決手段】左右方向を向く水平な載置板１３の前後両端に、上方を向く前後１対の上向き片１５と、この上向き片１５よりも短寸をなす前後１対の下向き片１６とが連設された、側面視概ねＨ字状断面をなす配線トレー１２を、内向きの前後の支持片４c上に、載置板１３の下面が両支持片４cにより支持される第１の使用形態と、配線トレー１２を上下反転させて、前後の上向き片１５の下端が両支持片４cにより支持される第２の使用形態とのいずれかを選択して載置しうるようにする。【選択図】図２
2008119235.tif 000002
【特許請求の範囲】
【請求項１】
什器の配線ダクト内に前後に離間して設けた１対の支持体間に架設することにより、前記配線ダクト内において配線等を載置する配線ダクト用トレー装置において、
左右方向を向く水平な載置板の前後両端に、上方を向く前後１対の上向き片と、この上向き片よりも短寸をなす前後１対の下向き片とが連設された、側面視概ねＨ字状断面をなす配線トレーを、前記両支持体の内側面から内方に向かって突設された支持片上に、前記載置板の下面または前記前後の下向き片の下端が前記両支持片により支持される第１の使用形態と、前記配線トレーを上下反転させて、前記前後の上向き片の下端が前記両支持片により支持される第２の使用形態とのいずれかを選択して載置しうるようにしたことを特徴とする配線ダクト用トレー装置。
【請求項２】
前後の下向き片を、両上向き片の連設部よりもやや外方に設け、下位に配置される配線トレーの前後の上向き片の上端部外側面を、上位に配置される配線トレーの下向き片の内側面に摺接または近接させるようにして、下位の配線トレーの上向き片の上端を、上位の配線トレーの載置板の下面に当接させることにより、複数の配線トレーを上下方向に積み重ね可能としてなる請求項１記載の配線ダクト用トレー装置。
【請求項３】
配線トレーの載置板の左右両端に、上下両方向に延出する落ち止め片を設けてなる請求項１または２記載の配線ダクト用トレー装置。
【請求項４】
落ち止め片の一部に、配線ケーブルを側方に導出させる切り欠き部を設けてなる請求項３記載の配線ダクト用トレー装置。
【請求項５】
配線トレーの載置板に、複数の小孔を穿設してなる請求項１〜４のいずれかに記載の配線ダクト用トレー装置。
【発明の詳細な説明】
【技術分野】
【０００１】
本発明は、オフィス等の執務空間で使用されるテーブル、机等の什器における天板の下方の配線ダクト内に設けられる配線ダクト用トレー装置に関する。
【背景技術】
【０００２】
オフィス等の執務空間で使用されるテーブル、机等の什器においては、天板上にて使用される照明や、電子機器の配線ケーブル等を、天板の下方、もしくは側方に配線するための配線ダクトが設けられていることが多い。このような配線ダクトを設けた什器は、例えば特許文献１〜３に記載されており、公知である。
【特許文献１】特開２００５−１０２７４０号公報
【特許文献２】特開平１０−１５５５５７号公報
【特許文献３】特開２００１−２９９４５９号公報
【発明の開示】
【発明が解決しようとする課題】
【０００３】
上記特許文献１〜３に記載されているのは、配線ダクトにおける前後の支持体間に配線トレーを架設することにより、配線ダクト内に、配線ケーブル等を受ける配線載置部が形成されている。
しかし、上記配線トレーは、いずれも、配線ダクト内の所定の位置に固定的に設けられているので、用途に応じて配線ダクト内の配線高さを変更したいときなどに、配線トレーの高さを容易に変更することができない。
【０００４】
また、配線量が増大したり、配線ケーブル等を種類別に分けて配線したいときには、別に用意される配線トレーを増設する必要があり、その作業が面倒で、かつコストや加工工数が増えるという問題がある。
【０００５】
本発明は、上述のような従来の課題を解決するためになされたもので、用途に応じて、配線トレーの高さを容易に変更しうるとともに、配線量等が増大したときにも、簡単に対応しうるようにした配線ダクト用トレー装置を提供することを目的としている。
【課題を解決するための手段】
【０００６】
本発明によると、上記課題は、次のようにして解決される。
（１）什器の配線ダクト内に前後に離間して設けた１対の支持体間に架設することにより、前記配線ダクト内において配線等を載置する配線ダクト用トレー装置において、左右方向を向く水平な載置板の前後両端に、上方を向く前後１対の上向き片と、この上向き片よりも短寸をなす前後１対の下向き片とが連設された、側面視概ねＨ字状断面をなす配線トレーを、前記両支持体の内側面から内方に向かって突設された支持片上に、前記載置板の下面または前記前後の下向き片の下端が前記両支持片により支持される第１の使用形態と、前記配線トレーを上下反転させて、前記前後の上向き片の下端が前記両支持片により支持される第２の使用形態とのいずれかを選択して載置しうるように載置しうるようにする。
【０００７】
（２）上記(１)項において、前後の下向き片を、両上向き片の連設部よりもやや外方に設け、下位に配置される配線トレーの前後の上向き片の上端部外側面を、上位に配置される配線トレーの下向き片の内側面に摺接または近接させるようにして、下位の配線トレーの上向き片の上端を、上位の配線トレーの載置板の下面に当接させることにより、複数の配線トレーを上下方向に積み重ね可能とする。
【０００８】
（３）上記(１)項または（２）項において、配線トレーの載置板の左右両端に、上下両方向に延出する落ち止め片を設ける。
【０００９】
（４）上記(３)項において、落ち止め片の一部に、配線ケーブルを側方に導出させる切り欠き部を設ける。
【００１０】
（５）上記(１)〜(４)項のいずれかにおいて、配線トレーの載置板に、複数の小孔を穿設する。
【発明の効果】
【００１１】
本発明によれば、次のような効果が奏せられる。
請求項１記載の発明によれば、配線トレーの載置板の下面または下向き片の下端が、配線ダクトの支持片により支持される第１の使用形態から、配線トレーの上向き片の上端が支持片により支持される第２の使用形態とすると、配線ダクト内での載置板の高さが高くなり、この状態から、配線トレーを反転させると、反対に、配線ダクト内での載置板の高さが低くなる。従って、配線トレーを、単に上下に反転させるだけで、その載置板の高さを極めて容易に変更することができる。
また、載置板の前後両端には、上向き片と下向き片が連設されているので、上記いずれの使用形態としても、載置板に載置した配線ケーブル等が落下することはない。
【００１２】
請求項２記載の発明によれば、下位に配置される配線トレーの上向き片の外側面を、上位に配置される配線トレーの下向き片の内側面に摺接または近接させるようにして、上下に積み重ねることにより、上下の各配線トレーは、互いに前後方向へ動くことがなく、安定した状態で積み重ねることができる。従って、上下複数段の配線トレーに、配線ケーブル等を載置しうるので、配線量が増大したときや、配線ケーブル等を種類別に分けて配線したいときなどに、容易に対応することができる。
また、上位と下位の配線トレーを上下反転することにより、各段の配線載置部の高さを容易に変更することができる。
【００１３】
請求項３記載の発明によれば、載置板に載置された配線ケーブルが、左右方向に引っ張られても、それに取り付けられたコンセント等が落ち止め片の内面と当接して、それ以上は移動しないようになるので、コンセント等が載置板上から落下するのが防止されるとともに、配線ケーブルを、配線トレー上に安定した状態で載置することができる。
【００１４】
請求項４記載の発明によれば、載置板に載置させた配線ケーブルを、落ち止め片の切り欠き部を通して配線トレーの外側に引き出すことができるので、配線作業が容易に行える。
【００１５】
請求項５記載の発明によれば、配線トレーの載置板に設けた小孔を通して、例えば配線ケーブルやコンセント等の熱を、外部に容易に排出することができる。
【発明を実施するための最良の形態】
【００１６】
以下、本発明の実施形態を、図面に基づいて説明する。
図１は、本発明の配線ダクト用トレー装置を適用したテーブルの斜視図、図２は、図１のII−II線拡大縦断側面図、図３は、配線ダクト用トレー装置の拡大斜視図である。なお、図１及び図３において斜め右手前側を前として説明する。
【００１７】
図１において、テーブル１は、前後に並ぶ長方形の２枚の天板２，２と、各天板２の左右両端部の下面を支持する脚体３，３とを備えている。
【００１８】
前後の天板２，２の対向面間には、ＯＡ機器等の配線コード類を、後述する配線ダクト４内に配線するための開口５Ａが、左右方向に連続して形成されている。開口５Ａには、合成樹脂等よりなる平板状のカバー部材６，６が取り付けられている。
【００１９】
カバー部材６は、図２に示すように、左右の支持ブラケット７の上端に両側端が支持された前後１対の支軸８，８に、対向端部の係合溝９が上下方向に回動可能、かつ着脱可能に係合して取り付けられている。左右の支持ブラケット７は、配線ダクト４内の左右の両端部に、取付ねじ１０，１０により固定されている。
【００２０】
図２及び図３に示すように、配線ダクト４は、上記開口５Ａと上下方向に連通する開口が形成されるように、互いに前後に離間して配置された１対の支持体４ａ，４ａを有している。各支持体４ａは、その左右両端部の内向折曲片４ｄ，４ｄを、左右の脚体３の上部内面に取付ねじ１１，１１により固定することにより、左右の脚体３に取り付けられている。
【００２１】
各支持体４ａの上端縁には、内向き水平の上片４ｂが、また下端縁には、内方を向くとともに、内端を、上方に向かって外向きコ字状に折り曲げられた支持片４ｃが設けられている。両支持体４ａの前後の支持片４ｃ，４ｃに、後述する配線トレー１２を複数個載置することにより、配線ダクト４内に、配線載置部Ｓが形成されるようになっている。
【００２２】
図４は、配線トレー１２単体の外観斜視図で、配線トレー１２は、硬質の合成樹脂材で形成されており、左右方向に長い長方形の水平な載置板１３を有している。載置板１３には、上下方向に貫通する小孔１４が多数穿設されている。小孔１４は、配線ケーブルやコンセント等の熱の排出を容易にするためのものである。
【００２３】
配線トレー１２は、載置板１３の前後の端部に、前後１対の上向き片１５，１５を連設することにより、側面視上向コ字状に形成されている。載置板１３における上記上向き片１５よりもやや外方の両側端には、短寸の前後１対の下向き片１６，１６が連設されている。
【００２４】
上向き片１５，１５の載置板１３からの高さ上下寸法は、下向き片１６，１６の上下寸法よりも十分(実施例では約５倍)大きく形成されている。また、下向き片１６，１６の外側面間の前後幅Ｗ１は、配線ダクト４における前後の支持体４ａ，４ａの対向面間の前後幅Ｗ２と等しいか、もしくは、これよりも若干小さくしてある。したがって、配線トレー１２は、配線ダクト４の前後の支持体４ａ，４ａ間に納まる。
【００２５】
さらに、下向き片１６，１６の対向面間の前後幅Ｗ３は、上向き片１５の前後の外側面間の前後幅Ｗ４よりも若干大きく形成されている。したがって、配線トレー１２の上向き片１５，１５の上端部を、その上位に配置される同形状の配線トレー１２の下向き片１６，１６の内側面に摺接または近接させた状態で、下位の配線トレー１２の上向き片１５，１５の上端を、上位の配線トレー１２の載置板１３の下面に当接させることができ、上下の配線トレー１２を上下に積み重ねることができる。
【００２６】
配線トレー１２は、図３に示すように、配線ダクト４内に左右方向に複数個並べて配置すればよいので、その左右寸法は、配線ダクト４の左右方向の長さよりも小さく形成されている。
【００２７】
載置板１３の左右両端には、上下両方向に延出する落ち止め片１７が連設されている。落ち止め片１７の上部と下部には、その一部を載置板１３に向かって切り欠くことにより、配線ケーブル２０を側方に導出させる切り欠き部１８が設けられている。
【００２８】
配線トレー１２は、前後の支持体４ａ，４ａ間に、その下方の開口部または前後の天板２間の開口５Ａから、斜めに傾斜させて収容することができ、配線トレー１２における載置板１３の下面を、支持片４ｃの上面に載置させて水平にセットされる。この状態で、配線ダクト４内に、配線載置部Ｓが形成される。
【００２９】
配線載置部Ｓには、図３及び図４に示すように、例えばコンセント１９を取り付けた配線ケーブル２０が載置され、電源等に繋がる配線ケーブル２０の他端側は、切り欠き部１８を通して配線トレー１２の外側方に引き出される。したがって、配線ケーブル２０に物が引っかかり、コンセント１９が配線ケーブル２０とともに外側に引かれても、落ち止め片１７の内面にコンセント１９が引っかかるので、それが配線トレー１２から落下することはない。
【００３０】
以上は、配線トレー１２の基本的な使用形態であるが、用途に応じて、配線トレー１２を、例えば次の（１）及び(２)に記載するような使用形態で使用することができる。
【００３１】
（１） 配線量が増大したり、配線ケーブル２０等を種類別に分けたいときには、配線トレー１２を上下に積み重ねて多段状とし、各段の配線トレー１２に、コンセント１９等を配線ケーブル２０とともに配置する。図２及び図３は、このように、配線トレー１２を上下に並べて積み重ねて上下２段に形成し、各段の配線トレー１２に、コンセント１９付きの配線ケーブル２０を載置した例を示している。
【００３２】
（２） 配線ダクト４内において、配線載置部Ｓの高さを高くしたいときには、図２及び図３に示す使用形態から、図５に示すように、上下の配線トレー１２を上下に反転させ、下位の配線トレー１２の上向き片１５の下端を支持片７の上面に当接させるとともに、上位の配線トレー１２の上向き片１５の下端を、下位の配線トレー１２の載置板１３の上面に当接させる。
【００３３】
この使用形態から、配線載置部Ｓの高さを低くしたいときには、上下の配線トレー１２を再度反転させて、図２及び図３に示す使用状態に戻せばよい。
このように、各配線トレー１２を上下に反転するだけで、その高さを簡単に変更することができる。
なお、上記使用形態では、上下２個の配線トレー１２により、２段の配線載置部Ｓを形成する例を示したが、２個以上の配線トレー１２を重ねて使用することもできる。
また、１個の配線トレー１２を反転させて、高さのみを変更するようにしてもよい。
図２に示す使用形態では、配線トレー１２の載置板１３の下面を、両支持片４cの上向き折曲部の上面により支持するようにしているが、両下向き片１６を若干長寸として、その下端を支持片４cの外方の水平部の上面により支持するようにしてもよい。
【図面の簡単な説明】
【００３４】
【図１】本発明の配線ダクト用トレー装置を適用したテーブルの斜視図である。
【図２】図１のテーブルのII−II線拡大縦断側面図である。
【図３】図１の配線ダクト用トレー装置の一部を示す拡大斜視図である。
【図４】配線トレーの外観斜視図である。
【図５】配線トレーの別の使用形態を示す縦断側面図である。
【符号の説明】
【００３５】
１  テーブル
２  天板
３  脚体
４  配線ダクト
４ａ  支持体
４ｂ  上片
４ｃ  支持片
４ｄ  内向折曲片
５Ａ  開口
６  カバー部材
７  支持ブラケット
８  支軸
９  係合溝
１０  取付ねじ
１１  取付ねじ
１２  配線トレー
１３  載置板
１４  小孔
１５  上向き片
１６  下向き片
１７  落ち止め片
１８  切り欠き部
１９  コンセント
２０  配線ケーブル
Ｗ１  下向き片の前後幅
Ｗ２  支持体の前後幅
Ｗ３  下向き片の前後幅
Ｗ４  上向き片の前後幅
Ｓ  配線載置部
【図１】
2008119235.tif 000003
【図２】
2008119235.tif 000004
【図３】
2008119235.tif 000005
【図４】
2008119235.tif 000006
【図５】
2008119235.tif 000007